(57)【要約】【課題】ブラインドが設けられた屋内において照明の電力消費を抑制する。【解決手段】明るさを制御するための制御装置１００は、プロセッサ２１０と、屋内照度センサ１０１ａ，１０１ｂ，１０１ｃからの出力を受ける入力インターフェイス２２０と、人感センサ１０２ａ，１０２ｂ，１０２ｃからの出力を受ける入力インターフェイス２２１と、人感センサの反応と照度センサの目標とを関連付けて格納しているメモリ２３０と、ＨＥＭＳ１０５に対して、照明１０６のオンまたはオフおよび／または明るさを制御するための信号を送信する送信インターフェイス２４０と、ブラインド１０３を制御するための信号をブラインドコントローラ１０４に出力する出力インターフェイス２４１とを備える。プロセッサ２１０は、人感センサの反応と照度センサの目標とに基づいて、ブラインド１０３の状態を制御するための信号をブラインドコントローラ１０４に出力する。【選択図】図２
2013087467.tif 000002
【特許請求の範囲】
【請求項１】
屋内の照度を検出するための照度センサからの出力を受ける屋内照度入力手段と、
人感センサからの出力を受ける受信インターフェイスと、
前記人感センサの出力として想定される検出結果と、前記検出結果に対応付けられる前記照度センサからの目標出力とを格納するためのメモリと、
前記照度センサからの実際の出力と前記目標出力とに基づいて、屋外から屋内に入る光の量を調整する光量調整装置の開閉を制御するための制御手段とを備える、明るさの制御装置。
【請求項２】
前記受信インターフェイスは、前記照度センサが取り付けられる場所に対応して取り付けられた人感センサからの出力を受けるように構成されている、請求項１に記載の明るさの制御装置。
【請求項３】
前記屋内照度入力手段は、複数の照度センサからの各出力を受け、
前記受信インターフェイスは、複数の人感センサからの各出力を受け、
前記制御手段は、前記複数の照度センサからの各出力の平均値が最大となるように、前記光量調整装置を開閉する、請求項２に記載の明るさの制御装置。
【請求項４】
屋外の照度を検出するための屋外照度センサからの出力を受ける屋外照度入力手段をさらに備え、
前記制御手段は、前記屋外照度センサからの出力に基づいて、前記光量調整装置の開閉量をさらに調整するように構成されている、請求項１〜３のいずれかに記載の明るさの制御装置。
【請求項５】
暦情報を格納するための記憶手段をさらに備え、
前記制御手段は、前記暦情報に基づいて、前記光量調整装置の開閉量をさらに調整するように構成されている、請求項１〜４のいずれかに記載の明るさの制御装置。
【請求項６】
前記屋内に取り付けられた照明装置の明るさを制御するためのコントローラに、前記照度センサからの出力を送信するための送信インターフェイスをさらに備える、請求項１〜５のいずれかに記載の明るさの制御装置。
【請求項７】
請求項１〜６のいずれかに記載の明るさの制御装置と、
前記光量調整装置とを備える、明るさの制御システム。
【発明の詳細な説明】
【技術分野】
【０００１】
本発明は、明るさの制御に関し、より特定的には、屋内空間の明るさの制御に関する。
【背景技術】
【０００２】
室内の明るさの調整について、たとえば、特開２００９−２９５３５５号公報（特許文献１）は、「部屋の明るさを時刻の経過に伴って調整することによって、快適な目覚めを行える採光装置」に関する技術を開示している（［要約］の［課題］）。この技術によると、「部屋５の天井２aに設けられた凹所１０と、凹所１０の上部に設けられて、該凹所１０に外部の光を採り入れる天窓１１と、凹所１０に設けられて、天窓１１から採り入れた光の部屋５への入射光量を時刻の経過に伴って調整可能な電動ブラインド１３、タイマーを備えたコントローラ１４と、凹１０所に設けられて、時刻の経過に伴って発光量を調節可能な照明２０とを備えているので、部屋５の明るさを時刻の経過に伴って調整することによって、快適な目覚めを行える。」というものである（［要約］の［解決手段］）。
【０００３】
また、特表２０００−５１０２７８号公報（特許文献２）は、「部屋の明るさを制御するシステムおよび制御装置」に関する技術を開示している。
【先行技術文献】
【特許文献】
【０００４】
【特許文献１】特開２００９−２９５３５５号公報
【特許文献２】特表２０００−５１０２７８号公報
【発明の概要】
【発明が解決しようとする課題】
【０００５】
しかしながら、たとえば、特許文献１に開示された技術は、屋根に設置された天窓から日光を採光する構成のため、当該技術の導入は、平屋建てまたは天井吹き抜け構造の家屋に限定される。また、部屋の中を外光と照明とによって一様に照射するため、たとえば、人がいない箇所等、部屋の中の不要な部分の明るさまで確保されることになる。そのため、照明が外光と併用される場合には、照明のための電力が無駄な電力として消費される可能性がある。
【０００６】
本発明は、上述のような問題点を解決するためになされたものであって、その目的は、電力消費を抑制しつつ室内における照明を制御するための明るさの制御装置を提供することである。
【０００７】
他の目的は、電力消費を抑制しつつ室内における照明を制御するための明るさの制御装置と、明るさを調整するための機構とを備える明るさの制御システムを提供することである。
【課題を解決するための手段】
【０００８】
ある実施の形態に従う明るさの制御装置は、屋内の照度を検出するための照度センサからの出力を受ける屋内照度入力手段と、人感センサからの出力を受ける受信インターフェイスと、人感センサの出力として想定される検出結果と、検出結果に対応付けられる照度センサからの目標出力とを格納するためのメモリと、照度センサからの実際の出力と目標出力とに基づいて、屋外から屋内に入る光の量を調整する光量調整装置の開閉を制御するための制御手段とを備える。
【０００９】
好ましくは、受信インターフェイスは、照度センサが取り付けられる場所に対応して取り付けられた人感センサからの出力を受けるように構成されている。
【００１０】
好ましくは、屋内照度入力手段は、複数の照度センサからの各出力を受ける。受信インターフェイスは、複数の人感センサからの各出力を受ける。制御手段は、複数の照度センサからの各出力の平均値が最大となるように、光量調整装置を開閉する。
【００１１】
好ましくは、明るさの制御装置は、屋外の照度を検出するための屋外照度センサからの出力を受ける屋外照度入力手段をさらに備える。制御手段は、屋外照度センサからの出力に基づいて、光量調整装置の開閉量をさらに調整するように構成されている。
【００１２】
好ましくは、明るさの制御装置は、暦情報を格納するための記憶手段をさらに備える。制御手段は、暦情報に基づいて、光量調整装置の開閉量をさらに調整するように構成されている。
【００１３】
好ましくは、明るさの制御装置は、屋内に取り付けられた照明装置の明るさを制御するためのコントローラに、照度センサからの出力を送信するための送信インターフェイスをさらに備える。
【００１４】
他の局面に従うと、上記のいずれかに記載の明るさの制御装置と、光量調整装置とを備える。
【発明の効果】
【００１５】
ある局面に従うと、電力消費を抑制しつつ室内における照明を制御することができる。
この発明の上記および他の目的、特徴、局面および利点は、添付の図面と関連して理解されるこの発明に関する次の詳細な説明から明らかとなるであろう。
【図面の簡単な説明】
【００１６】
【図１】本発明の実施の形態に係る制御装置１００が家の部屋に取り付けられた状態を表わす図である。
【図２】本発明の実施の形態に係る制御装置１００のハードウェア構成を表わすブロック図である。
【図３】本発明の実施の形態に係るメモリ２３０におけるデータの格納の一態様を概念的に表わす図である。
【図４】本発明の実施の形態に係るプロセッサ２１０が実行する一連の処理の一部を表わすフローチャート（その１）である。
【図５】本発明の実施の形態に係るプロセッサ２１０が実行する一連の処理の一部を表わすフローチャート（その２）である。
【図６】本発明の実施の形態に係るプロセッサ２１０が実行する一連の処理の一部を表わすフローチャート（その３）である。
【図７】本発明の実施の形態の変形例に係る制御装置７００のハードウェア構成を表わすブロック図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
［使用態様］
図１を参照して、本発明の実施の形態に係る制御装置１００の使用態様について説明する。図１は、制御装置１００が家の部屋に取り付けられた状態を表わす図である。
【００１９】
制御装置１００は、ブラインドコントローラ１０４と、ＨＥＭＳ（Home  Energy  Management  System）１０５とに接続される。また、制御装置１００は、屋内照度センサ１０１ａ，１０１ｂ，１０１ｃからの各出力と、人感センサ１０２ａ，１０２ｂ，１０２ｃからの各出力とを受け付けるように構成されている。
【００２０】
ブラインドコントローラ１０４は、ある局面において、ブラインド１０３の開閉（上下、スラットの角度など）を調節する。他の局面において、ブラインド１０３は、左右に開閉可能であってもよい。
【００２１】
ＨＥＭＳ１０５は、照明１０６のオンとオフおよび明るさを制御するように構成されている。ＨＥＭＳ１０５は、当該家に設置されたエアコン、冷蔵庫、他の部屋の照明その他の家電機器（図示しない）の動作も制御し得る。
【００２２】
［ハードウェア構成］
図２を参照して、本実施の形態に係る制御装置１００の構成について説明する。図２は、制御装置１００のハードウェア構成を表わすブロック図である。
【００２３】
制御装置１００は、プロセッサ２１０と、入力インターフェイス２２０，２２１と、メモリ２３０と、送信インターフェイス２４０とを備える。制御装置１００は、送信インターフェイス２４０を介して、ＨＥＭＳ１０５に接続されている。
【００２４】
ＨＥＭＳ１０５は、受信インターフェイス１１５と、送信インターフェイス１２５とを含む。ＨＥＭＳ１０５は、送信インターフェイス１２５を介して、ブラインドコントローラ１０４と、照明１０６とに接続されている。
【００２５】
ブラインドコントローラ１０４は、受信インターフェイス１１４と、モータ２５１と、アクチュエータ２５２とを含む。
【００２６】
照明１０６は、受信インターフェイス１１６と、発光部（図示しない)を含む。
制御装置１００において、入力インターフェイス２２０は、屋内照度センサ１０１ａ，１０１ｂ，１０１ｃからの各出力をそれぞれ受けるように構成される。
【００２７】
入力インターフェイス２２１は、人感センサ１０２ａ，１０２ｂ，１０２ｃからの各出力を受け付けるように構成される。入力インターフェイス２２０，２２１の各出力は、プロセッサ２１０に入力される。
【００２８】
プロセッサ２１０は、メモリ２３０に格納されているデータおよびプログラムに基づいて、制御装置１００に予め規定された動作を実行する。プロセッサ２１０からの出力は、その内容に応じて、送信インターフェイス２４０に送られる。
【００２９】
送信インターフェイス２４０は、ＨＥＭＳ１０５に対して、照明１０６のオンまたはオフおよび／または明るさを制御するための信号を送信する。ＨＥＭＳ１０５は、受信インターフェイス１１５を介してその信号を受信し、その信号に基づいて、照明１０６のオンまたはオフと、明るさの程度とを切り換える。
【００３０】
送信インターフェイス１２５の出力は、ブラインドコントローラ１０４に入力される。ブラインドコントローラ１０４は、受信インターフェイス１１４を介して、ＨＥＭＳ１０５から出力された制御信号を受信する。モータ２５１は、受信インターフェイス１１４から送られる信号に基づきブラインド１０３を駆動するための回転を、アクチュエータ２５２に与える。アクチュエータ２５２は、モータ２５１からの出力に基づき、ブラインド１０３を上下し、または、スラット（図示しない）を開閉する。また、アクチュエータ２５２は、モータ２５１の駆動に応じて、スラットの傾きを調節し得る。
【００３１】
なお、ブラインド１０３の駆動形式は、上下する態様に限られない。ブラインド１０３は、たとえば、カーテンのように、左右方向に駆動可能であってもよい。この場合、ブラインド１０３の各スラットの向きは、垂直方向を軸に変化する。
【００３２】
ある局面において、メモリ２３０は、人感センサ１０２ａ，１０２ｂ，１０２ｃの出力として想定される検出結果と、当該検出結果に対応付けられる屋内照度センサ１０１ａ，１０１ｂ，１０１ｃからの目標出力とを格納している。プロセッサ２１０は、屋内照度センサ１０１ａ，１０１ｂ，１０１ｃからの実際の各出力と、当該目標出力とに基づいて、屋外から屋内に入る光の量を、ブラインドコントローラ１０４を駆動することにより調節する。
【００３３】
ある局面において、屋内照度センサ１０１ａ，１０１ｂ，１０１ｃと、人感センサ１０２ａ，１０２ｂ，１０２ｃとは、それぞれ１対１に対応するように配置されている。たとえば、人感センサ１０２ａ，１０２ｂ，１０２ｃがそれぞれ部屋の天井に取り付けられているとき、屋内照度センサ１０１ａ，１０１ｂ，１０１ｃは、それぞれ人感センサ１０２ａ，１０２ｂ，１０２ｃの真下付近に、あるいは隣に、取り付けられる。
【００３４】
他の局面において、屋内照度センサ１０１ａ，１０１ｂ，１０１ｃと、人感センサ１０２ａ，１０２ｂ，１０２ｃとは、それぞれ１つずつ対になって部屋の床あるいは壁面に組込まれてもよい。
【００３５】
他の局面において、プロセッサ２１０は、複数の屋内照度センサ１０１ａ，１０１ｂ，１０１ｃからの各出力の平均値が最大となるように、ブラインドコントローラ１０４にブラインド１０３の上下または角度を調節させる。
【００３６】
さらに他の局面において、屋外の照度を検出するための屋外照度センサが屋外に取り付けられてもよい。このとき、制御装置１００は、屋外照度センサからの出力を受ける屋外照度入力インターフェイスをさらに備える。プロセッサ２１０は、その屋外照度センサからの出力に基づいて、ブラインド１０３の開閉（上下）またはスラットの傾きをさらに調整するようにブラインドコントローラ１０４に命令を送る。
【００３７】
さらに他の局面において、メモリ２３０は、暦情報を格納してもよい。このとき、プロセッサ２１０は、その暦情報と、制御装置１００の内部クロック（図示しない）からの時刻情報とに基づいて、ブラインド１０３の開閉量またはスラットの角度をさらに調整するように、ブラインドコントローラ１０４に命令を送る。暦情報は、たとえば、カレンダに限られず、太陽の軌道や日光の照射方向が導出された情報であってもよい。このような構成によれば、暦情報に基づいてブラインド１０３の大体の状態（開閉量またはスラットの傾き角度）を規定することも可能となるため、照度を検出する前でも屋内の明るさを調節することができる。
【００３８】
［データ構造］
図３を参照して、本実施の形態に係る制御装置１００のデータ構造について説明する。図３は、メモリ２３０におけるデータの格納の一態様を概念的に表わす図である。ある局面において、メモリ２３０は、テーブル３１０，３２０，３３０を格納している。テーブル３２０，３３０は、そのいずれかが、テーブル３１０と関連付けられて使用される。
【００３９】
たとえば、パターン１の場合には、人感センサ１０２ａが反応した場合について照度センサの目標例が特定される。具体的には、屋内照度センサ１０１ａは、その明るさが最大となるように目標値を設定する。より詳しくは、人感センサ１０２ａが反応することにより、たとえば、部屋の奥側（北）の部分に住人がいることが検出される。このとき、少なくともその部分を明るくするために、その部屋の奥側に配置されている屋内照度センサ１０１ａの目標値が最大値に設定される。このような設定により、制御装置１００は、ブラインドコントローラ１０４に対して、部屋の奥まで明かりが届くようにブラインド１０３の位置を制御させる。具体的には、たとえば、ブラインド１０３を開かせ、または、上に巻き上げることにより、屋外の光が屋内に十分照射するように制御する。
【００４０】
パターン２の場合には、人感センサ１０２ｂが反応した場合の屋内照度センサの目標値が規定される。具体的には、このとき部屋の中央部に人がいることが検知される。したがって、少なくとも、屋内照度センサ１０１ｂの目標値が最大に設定される。（テーブル３２０）同様にしてパターン３からパターン８についても各屋内照度センサ１０１ａ，１０１ｂ，１０１ｃの目標例が示される。
【００４１】
なお、部屋の位置に関し、部屋の南側が日光を受けやすく北側が日光を受けにくいのは北半球の場合である。南半球の場合には、部屋の北側が日光を受けやすく南側が日光を受けにくくなるため、図３に示される人感センサの反応および照度センサの目標例の関係は、逆になる。
【００４２】
［制御構造］
図４から図６を参照して、本実施の形態に係る制御装置１００の制御構造について説明する。図４から図６は、それぞれ、プロセッサ２１０が実行する一連の処理の一部を表わすフローチャートである。当該処理は、たとえば、制御装置１００のスイッチがオンにされたときに開始され、オフになるまで継続する。
【００４３】
図４を参照して、ステップＳ４１０にて、プロセッサ２１０は、入力インターフェイス２２１を介して、人感センサ１０２ａ，１０２ｂ，１０２ｃからの信号を受信する。
【００４４】
ステップＳ４２０にて、プロセッサ２１０は、その信号が送られた人感センサ１０２ａ，１０２ｂ，１０２ｃの識別番号に基づき、人が存在している場所を特定する。
【００４５】
ステップＳ４３０にて、プロセッサ２１０は、屋内照度センサ１０１ａ，１０１ｂ，１０１ｃと、人感センサ１０２ａ，１０２ｂ，１０２ｃとの対応関係としてメモリ２３０に登録されているデータに基づき、その特定された場所に近い屋内照度センサを特定する。
【００４６】
ステップＳ４４０にて、プロセッサ２１０は、メモリ２３０を参照して、その特定された屋内照度センサの目標値を読み出す（テーブル３２０または３２０）。
【００４７】
ステップＳ４５０にて、プロセッサ２１０は、入力インターフェイス２２０を介して、その特定した屋内照度センサからの信号を受信する。
【００４８】
ステップＳ４６０にて、プロセッサ２１０を、その受信した信号に基づいて、実際の照度と目標照度とが同じであるか否かを判断する。プロセッサ２１０は、実際の照度と目標照度とが同じであると判断すると（ステップＳ４６０にてＹＥＳ）、制御をステップＳ４７０に切り換える。そうでない場合には（ステップＳ４６０にてＮＯ）、プロセッサ２１０は、制御をステップＳ４８０に切り換える。
【００４９】
ステップＳ４７０にて、プロセッサ２１０は、ブラインド１０３の位置を現状維持するとして、その旨の信号（たとえば、ブラインド１０３の位置決めのために直前に送信した信号）をブラインドコントローラ１０４またはＨＥＭＳ１０５に送信する。なお、他の局面において、現状維持の場合には、そのような信号はブラインドコントローラ１０４またはＨＥＭＳ１０５に送られなくてもよい。
【００５０】
ステップＳ４８０にて、プロセッサ２１０は、実際の照度が目標照度よりも低いか否かを判断する。プロセッサ２１０は、実際の照度が目標照度よりも低いと判断すると（ステップＳ４８０にてＹＥＳ）、制御をステップＳ５００に切り換える。そうでない場合には（ステップＳ４８０にてＮＯ）、プロセッサ２１０は、制御をステップＳ６００に切り換える。
【００５１】
ステップＳ５００にて、プロセッサ２１０は、後述する照度アップ処理を実行する。この処理が実行されると、部屋の明るさが上昇する。
【００５２】
ステップＳ６００にて、プロセッサ２１０は、後述する照度ダウン処理を実行する。この処理が実行されると、当該部屋の明るさが減少する。
【００５３】
ステップＳ４９０にて、プロセッサ２１０は、処理を終了する指示が入力されたか否かを判断する。この判断は、たとえば、制御装置１００のスイッチ（図示しない）から送られる信号の有無に基づいて、あるいは、予め設定された時刻が到来したか否かに基づいて行なわれる。予め設定された時刻は、たとえば、動作すべき時間としてタイマーで設定された終了時刻、暦情報に基づく日没時刻等を含む。プロセッサ２１０は、処理を終了する指示が入力されたと判断すると（ステップＳ４９０にてＹＥＳ）、制御を終了する。そうでない場合には（ステップＳ４９０にてＮＯ）、プロセッサ２１０は、制御をステップＳ４１０に戻し、処理を継続する。
【００５４】
［照度アップ処理］
図５を参照して、ステップＳ５１０にて、プロセッサ２１０は、ブラインド１０３を開ける余地があるか否かを判断する。この判断は、たとえば、ブラインド１０３のスラット現在の傾きを表わすデータと、ブラインドコントローラ１０４のブラインド１０３を駆動するために予め設定された駆動範囲とに基づいて行なわれる。プロセッサ２１０は、ブラインド１０３を開ける余地があると判断すると（ステップＳ５１０にてＹＥＳ）、制御をステップＳ５２０に切り換える。そうでない場合には（ステップＳ５１０にてＮＯ）、プロセッサ２１０は、制御をステップＳ５３０に切り換える。
【００５５】
ステップＳ５２０にて、プロセッサ２１０は、ブラインドコントローラ１０４に信号を送ることにより、ブラインド１０３のスラットを開かせる。たとえば、スラットの傾きが水平方向に近くなる。
【００５６】
ステップＳ５３０にて、プロセッサ２１０は、ブラインド１０３を上げる余地があるか否かを判断する。プロセッサ２１０は、ブラインドを上げる余地があると判断すると（ステップＳ５３０にてＹＥＳ）、制御をステップＳ５４０に切り換える。そうでない場合には（ステップＳ５３０にてＮＯ）、プロセッサ２１０は、制御をステップＳ５５０に切り換える。ここで、ブラインドを上げる余地があるか否かの判断は、たとえば、ブラインド１０３の現在の状態およびブラインド１０３の上下が可能な範囲として予め規定されたデータであってメモリ２３０に格納されているデータとに基づいて行なわれる。
【００５７】
ステップＳ５４０にて、プロセッサ２１０は、ブラインドコントローラ１０４に信号を送ることにより、ブラインド１０３を上げさせる。
【００５８】
ステップＳ５５０にて、プロセッサ２１０は、照明１０６のスイッチをオンにする信号または、照明１０６が点灯している場合には照明１０６の光量を増加する信号をＨＥＭＳ１０５に送信する。ＨＥＭＳ１０５は、その信号に基づき、照明１０６を点灯させ、または、点灯していた照明１０６の光量を増加させる。
【００５９】
［照度ダウン処理］
図６を参照して、ステップＳ６１０にて、プロセッサ２１０は、ブラインド１０３を閉じる余地があるか否かを判断する。この判断は、たとえば、ブラインド１０３の現在の状態およびブラインド１０３を閉じることが可能な範囲として予め規定されてメモリ２３０に格納されているデータに基づいて行なわれる。プロセッサ２１０は、ブラインド１０３を閉じる余地があると判断すると（ステップＳ６１０にてＹＥＳ）、制御をステップＳ６２０に切り換える。そうでない場合には（ステップＳ６１０にてＮＯ）、プロセッサ２１０は、制御をステップＳ６３０に切り換える。
【００６０】
ステップＳ６２０にて、プロセッサ２１０は、ブラインドコントローラ１０４に向けて信号を送ることにより、ブラインド１０３を閉じるための動作を実行する。
【００６１】
ステップＳ６３０にて、プロセッサ２１０は、ブラインド１０３を下げる余地があるか否かを判断する。この判断は、たとえば、ブラインド１０３の現在の位置および状態と、ブラインド１０３の動作可能な範囲として規定されてメモリ２３０に保存されているデータと、に基づいて行なわれる。プロセッサ２１０は、ブラインド１０３を下げる余地があると判断すると（ステップＳ６３０にてＹＥＳ）、制御をステップＳ６４０に切り換える。そうでない場合には（ステップＳ６３０にてＮＯ）、プロセッサ２１０は、制御をステップＳ６５０に切り換える。
【００６２】
ステップＳ６４０にて、プロセッサ２１０は、ブラインドコントローラ１０４に信号を送ることにより、ブラインド１０３を下げるように指示する。
【００６３】
ステップＳ６５０にて、プロセッサ２１０は、照明１０６の電源をオフにするための信号または発光量の減少を指示する信号を、ＨＥＭＳ１０５に送信する。ＨＥＭＳ１０５は、その信号に応じて照明１０６を消灯し、または、明るさを弱める。その後、処理は、メイン処理に戻される。
【００６４】
［実施の形態の効果］
以上のようにして、本発明の実施の形態に係る制御装置１００は、部屋の明るさを屋内照度センサ１０１ａ，１０１ｂ，１０１ｃで感知して、その情報を元にブラインド１０３の状態（角度、上下の位置）を制御し、外光の入射を調節する。そのため、外光（太陽の位置）や構造物に関係なく、部屋にいる人は、常に、その感覚に合わせて明るさを調節できる。また、人感センサ１０１ａ，１０１ｂ，１０１ｃ等で人の位置を特定し、部屋の中でも特定の箇所の明るさを細かく変えることができる。外光が人のいる屋内に取り入れられるため、特に外光の照度が強い昼間において照明の消費電力を削減することができる。これにより、必要以上に照明が点灯しなくなるため、照明による電力消費が抑制される。
【００６５】
また、ＨＥＭＳ１０５は、多くのセンサからの出力に基づいて多くの機器を制御できるため、各機器の制御を連携することができる。
【００６６】
＜変形例＞
図７を参照して、本実施の形態の変形例について説明する。図７は、本変形例に係る制御装置７００のハードウェア構成を表わすブロック図である。本変形例に係る制御装置７００は、ＨＥＭＳ１０５を介することなく、ブラインドコントローラ１０４を制御する機能を有する点で、前述の実施の形態に係る制御装置１００と異なる。
【００６７】
制御装置７００は、図２に示される制御装置１００の構成に加えて、出力インターフェイス２４１をさらに含む。出力インターフェイス２４１からの出力は、ブラインドコントローラ１０４に入力される。具体的には、ブラインドコントローラ１０４は、受信インターフェイス１１４を介して、制御装置７００からの制御信号を受信する。制御信号は、モータ２５１を駆動する。このような構成によれば、ＨＥＭＳ１０５による制御のための負荷が軽減されるので、ＨＥＭＳ１０５による制御が早くなる。
【００６８】
他の局面において、屋内照度センサ１０１ａ，１０１ｂ，１０１ｃ、または人感センサ１０２ａ，１０２ｂ，１０２ｃからの各情報（信号）を、フォーマットを変更してHEMSに送信してもよい。たとえば、上述の実施の形態および変形例においては、屋内照度センサ１０１ａ，１０１ｂ，１０１ｃ、または人感センサ１０２ａ，１０２ｂ，１０２ｃからの各信号は、そのまま有線で制御装置１００に送られている。信号の送信の態様はこれに限られない。たとえば、屋内照度センサ１０１ａ，１０１ｂ，１０１ｃ、または人感センサ１０２ａ，１０２ｂ，１０２ｃと制御装置１００，７００との両方が通信用のインターフェイスを備えることにより、無線通信を行なってもよい。
【００６９】
また、たとえば、ＨＥＭＳ１０５への信号送信は、無線（ZigBee）で行われている。ここでは、送信インターフェイス２４０において、信号のフォーマットは、ZigBee（正確にはIEEE802.15.4規格に準拠した）のフォーマットに変換されているが、他の通信方式も使用可能である。たとえば、無線ＬＡＮ（Local  Area  Network）、有線ＬＡＮ、Z-WAVE等が用いられてもよい。
【００７０】
本実施の形態において、ＨＥＭＳ１０５は、制御装置１００から送られてきた各センサの情報を処理して、ブラインドコントローラ１０４および照明１０６に命令を出力している。具体的には、ＨＥＭＳ１０５は、ブラインド１０３または照明１０６を制御するための信号を、ブラインドコントローラ１０４または照明１０６に送信する。ＨＥＭＳ１０５による処理は、具体的には、たとえば、パーソナルコンピュータで実行される。具体的には、当該パーソナルコンピュータは、メモリ２３０の機能、および、プロセッサ２１０の機能を実現することができる。
【００７１】
なお、ＨＥＭＳ１０５からの命令（制御信号）のフォーマットは、ＨＥＭＳ１０５によって制御される機器によって異なる。たとえば、ＨＥＭＳ１０５は、ブラインドコントローラ１０４へは有線ＬＡＮを用いて制御信号を送信する。一方、照明は、ある局面において、ZigBeeに対応する受信インターフェイス１１６を備えた制御装置を介してON/OFFされるため、ＨＥＭＳ１０５は、照明１０６に対しては、ZigBeeを使用して制御信号を送信する。
【００７２】
なお、他の局面において、図７にも示されるように、ＨＥＭＳ１０５を介さず、制御装置１００がブラインド１０３その他の機器を制御してもよい。ＨＥＭＳ１０５は、他にも多数のセンサや機器との通信を行っているため、処理の高速化を図るために、単純な機器操作のみの場合には、制御装置１００が制御を実行してもよい。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７４】
１００  制御装置、１０１ａ，１０１ｂ，１０１ｃ  屋内照度センサ、１０２ａ，１０２ｂ，１０２ｃ  人感センサ、１０３  ブラインド、１０４  ブラインドコントローラ、１０６  照明、２１０  プロセッサ、２２０，２２１  入力インターフェイス、２３０  メモリ、２４０  送信インターフェイス、２４１  出力インターフェイス、２５１  モータ、２５２  アクチュエータ、３１０，３２０，３３０  テーブル。
【図１】
2013087467.tif 000003
【図２】
2013087467.tif 000004
【図３】
2013087467.tif 000005
【図４】
2013087467.tif 000006
【図５】
2013087467.tif 000007
【図６】
2013087467.tif 000008
【図７】
2013087467.tif 000009